(57)【要約】　　　（修正有）【課題】線路上の雪を確実に融雪する。【解決手段】鉄道レールＲａ，Ｒａ´，Ｒｂの近傍に基台１を設置する。該基台１に後端が温水供給装置に連通する装置本体２とこの装置本体２に連通する放水ノズル３を自在継手装置２３を介して互いに接続する。そして、基台１に放水ノズル３の角度調節装置２５を設ける。【選択図】図１
2004036305.tif 000002
【特許請求の範囲】
【請求項１】
鉄道レールの近傍に基台を設置し、該基台に止着した、後端が温水供給装置に連通する装置本体とこの装置本体に連通する放水ノズルを、自在継手装置を介して互いに接続すると共に、前記基台に前記放水ノズルの角度調節装置を設けた、鉄道レールの融雪装置。
【請求項２】
装置本体には放水ノズル不使用時に開栓して該装置本体内の温水又は水を排出する排水装置を設けた、請求項１記載の鉄道レールの融雪装置。
【請求項３】
装置本体を耐圧ホースを介して温水又は水供給装置に連通すると共に、前記耐圧ホースをゴム等の通電性のない素材で構成した、請求項１又は２記載の鉄道レールの融雪装置。
【発明の詳細な説明】
【０００１】
【産業上の利用分野】
本発明は鉄道レールの融雪装置に関するもので、ことにポイント部における切換（トング）レールと基本レールとの間の雪を融かして切換レールの基本レールへの転換移動を円滑にするために用いるものである。
【０００２】
【従来の技術および課題】
放水ノズルを用いて温水を積雪に放射して融かすようにした構造のものがあるが、放水ノズルが固定式であるため放水角度が制約を受け必ずしも満足のいくものではない。また、放水角度を変えられるものも一部あるが、列車から落下する氷塊などの衝接により容易に角度変形する構造になっており、実用的に問題がある。
【０００３】
【課題を解決するための手段】
鉄道レールの近傍に基台を設置し、該基台に止着した、後端が温水供給装置に連通する装置本体とこの装置本体に連通する放水ノズルを、自在継手装置を介して互いに接続すると共に、前記基台に前記放水ノズルの角度調節装置を設けたことを基本的手段とする。
【０００４】
なお、装置本体には放水ノズル不使用時に開栓して該装置本体内の温水又は水を排出する排水装置を設けたことにより装置本体内の水の残存による凍結を防いで、寒冷地にも係らず次段の融雪作業を円滑に行うことができ、また、装置本体を耐圧ホースを介して温水又は水供給装置に連通すると共に、前記耐圧ホースをゴム等の通電性のない素材で構成することにより耐圧ホースつまり水供給管を通じての漏電を防ぎ、機器の誤動作の発生を防止する。
【０００５】
【発明の実施の形態】
図面は本発明に係る鉄道レールの融雪装置の一実施形態を示し、図１は正面図、図２は平面図、図３は要部の拡大断面図である。
【０００６】
実施形態の融雪装置は、基本レールＲａと切換レールＲｂとの間に基台１を設置し、該基台１に装置本体２と該装置本体２に基部を回動自在に組付けた放水ノズル３を支持させて構成し、放水ノズル３から温水（場合には、水でも良い）を噴射して前記切換レールＲｂと基本レールＲａ間に存する積雪を融雪して切換レールＲｂの一方の基本レールＲａ´から他の一方の基本レールＲａへの切換移動操作を円滑に行うようにしたものである。
【０００７】
基台１は、前記基本レールＲａ，Ｒａ´の下側に配して両端を固定手段４によって該レールＲａ，Ｒａ´に固定した設置盤５の中間部に高さ調整ブロック６を介して固定ボルト７と該ボルト７に螺合したナット材８とで固定して一方の基本レールＲａと前記切換レールＲｂ間に設置したものである。
【０００８】
この基台（ベークライトのような通電性のないものを素材とすることにより、通電による機器の誤動作を防止できる）１のレールＲａ，Ｒａ´，Ｒｂ近傍への設置手段は自由に選択して良いことは勿論であるが、実施形態の場合は、固定手段４を用いて設置盤５を不動側である基本レールＲａ，Ｒａ´に固定することによりレールＲａ，Ｒａ´，Ｒｂとの関係で当初の設定状態を保つようにしてあり、調整ブロック６の高さ幅の異なるものを選択することにより放水ノズル３の高さ位置を決められ設置個所周囲の状況に見合う高さ位置に設定できる。
【０００９】
装置本体２は、前部材２ａ，２ａ、中間部材２ｂ，２ｂ、後部材２ｃ及びこれらの間に介在させたパッキン材２ｄ，２ｄ，２ｄ´を組合せて組付ボルト９，９´で互いに組付け、止着ボルト１０によって前記基台１に止着したものである。
【００１０】
そして、装置本体２は、後端に接手部材１１の螺子管１１ａを螺合して耐圧ホース（接手部材１１と接続した）１２に連通させ、一対の放水ノズル３，３を前記の通り組付け、温水供給装置（図示、省略）から耐圧ホース１２および接手部材１１を通じて本体２内に注入された温水を温水ノズル３，３を通じて噴出するようにしてある。
【００１１】
なお、実施形態の耐圧ホース１２は温水（又は水）供給装置から圧送される温水又は水の圧力に耐え得るものを用い、かつ、不導体で有るゴム、樹脂などを素材としたものである。
【００１２】
ノズル３と接手部材１１間に介在してこれらと互いに連通する前記本体１の内腔部１３は、図示詳細は省略してあるが、接手部材１１側の後部材２ｃで構成する部分１３ａを二又に分岐して前記前部材２ａおよび中間部材２ｂで構成する分岐部１３ｂ，１３ｂと成し、各分岐部１３ｂに対応して前記放水ノズル３を配設したものである。
【００１３】
前記内腔部１３の後端側の前記部分１３ａを構成する前記後部材２ｃの下縁部には排水装置１４を装備して放水ノズル不使用時に内腔部１３内に温水（冷却した水）乃至水が残存しないようにしてある。
【００１４】
排水装置１４は、前記後部材２ｃに設けた排水孔１５に装置基筒１６を螺合して取付け、該装置基筒１６の軸線上に貫通させた弁杆１７の前記内腔部１３側の一端（内端）に前記基筒１６の内端を接離する弁体１８を設け、弁杆１７の前記一端に対応する室外側の一端（外端）を基筒１６の外端に固定した支持片１９に貫通させて該支持片１９に組付け、また、前記弁杆１７に巻回したコイルスプリング２０の一端前記弁体１８に他の一端を支持片１９にそれぞれ係止して、このコイルスプリング２０の付勢によって弁体１８を弁座である基筒１６の前記内端より係離させるようにしたものである。すなわち、排水装置１４は、接手部材１１を通じて内腔部１３に圧入され、放水ノズル３より噴射される温水（又は水）の圧力（水圧）によってコイルスプリング２０の付勢に抗して弁体１８が装置基筒１６の内端（弁座）に接して排水口孔１５が閉塞状態におかれる一方、内腔部１３の圧力（水圧）が低下すると、スプリング２０の付勢によって弁体１８が装置基筒１６内端より離脱していわば開栓し、内腔部１３内の温水（水）は排出孔１５を通じて排出され、残存水による凍結を防止するものである。
【００１５】
装置本体２の先端側の内腔部１３部分（分岐部１３ｂ）には、内腔部１３部分（分岐部１３ｂ）の軸線上の一点を中心とする半球面（欠球面）状の凹入部２１を設け、該凹入部２１に放水ノズル３の基部側に設けた、凹入部２１の半球面状と同一半径の半球面（欠球面）状の凸部２２を嵌合させるようにして前記の通り、放水ノズル３の基部を装置本体２に回動自在に組付けてある。すなわち、装置本体２と放水ノズル３は自在継手装置２３を介して互いに組付けてある。
【００１６】
なお、装置本体２と放水ノズル３は、放水ノズル３に該放水ノズル３を貫通させるようにしてリング状のパッキン材２ｄと前部材２ａを組付けておき、中間部材２ｂに設けた前記凹入部２１の部分２１ａに放水ノズル３の凸部２２の一部を嵌合するようにして内周面を凹入部２１の一部を構成する球面形を設けたパッキン材２ｄおよび前部材２ａを中間部材２ｂに重ね合わせ前記組付ボルト９で各部材２ａ，２ｄ，２ｂを互いに締付けることにより、装置本体２の先端に放水ノズル３は回動自在（旋回可能）に組付けられる。
【００１７】
そして、この放水ノズル３は、その基部を中心とする回動（旋回）角度が角度調節装置２５によって保持されるようにしてある。
【００１８】
角度調節装置２５は、前記放水ノズル３の中間部の下縁に突設した螺杆２６の、前記基台１の先端側に設けた横長の長孔２７内における縦横両方への変位および固定操作によって放水ノズル３の仰角と方位角を調節するようにしたものである。
【００１９】
前記螺杆２６は、該螺杆２６を下面中央に突設し取付基片２８と挟持片２９を放水ノズル３の中間部を介して相対置させ、挟持片２９を通じた取付ボルト３０を取付基片２８に設けた螺子穴３１に螺合締付けるようにして、前記の通り、放水ノズル３の下縁に突設したものである。
【００２０】
そして、角度調節装置２５を構成する螺杆２６は前記基台１の先端側に設けた前記長孔２７を貫通して配せられ、長孔２７より突出する該螺杆２６の先端側に螺合した第一ナット３２と長孔２７貫通前に螺杆２６基端部側に予め螺合した第二ナット３２´の螺合位置を変化させることにより前記基片２８すなわち放水ノズル３中間部の高さ調節（ノズル３の仰角）できるようにしたものである。
【００２１】
この高さ調節（仰角設定）は、第一ナット３２を螺杆２６の先端（下端）方向へ移動させて螺杆２６全体を第一ナット３２が基台１の下面に接する位置まで移動させ、第二ナット３２´を基台１の上面に接する位置まで移動させるか、または、第二ナット３２´を螺杆２６の基端（上端）方向へ移動させた螺杆２６全体を第二ナット３２´が基台１の上面に接する位置まで移動させ、第一ナット３２を基台１の下面に接する位置まで移動させることによりできる。
【００２２】
また、第一、第二のナット３２，３２´のいずれか一方を緩めて長孔２７内を、放水ノズル３をその基部と装置本体２との嵌合部を中心に回動させるようにして螺杆２６を移動させ、所望位置において緩めた一方のナット３２又は３２´を再度基台１に締め付けることにより放水ノズル３の方位角が調節設定される。
【００２３】
なお、前部材２ａと中間部材２ｂとの間に弾性のパッキン材２ｄを介在させて前記凹入部２１を形成することにより、漏洩（水漏れ）が起こりにくい、水漏れしても修繕の可能な組立て式の自在継手装置を得られる。
【００２４】
しかして、自在継手装置２３を利用して各放水ノズル３，３を適宜の仰角および方位角に設定し、該設定角度を角度調節装置を用いて維持させて、適所に備えた操作装置を操作して温水（水）供給装置から、耐圧ホース１２を通じて装置本体１に温水（水）を注入し、前記放水ノズル３，３からこれを雪に噴射させることにより融雪操作を行い、この間、装置本体１内を流れる温水（水）の圧力によって弁体１８は弁座（基筒１６内端）に接して排水口１５からの漏水が生じることがない。そして、温水の流れが中断すると、スプリング２０が機能して排水口１５を開口状態におき本体１内の温水は排水される。
【００２５】
なお、実施形態は一対の放水ノズル３，３を用いているが単一な放水ノズルでも差し支えがないことは勿論であるが、一対以上用いることにより、温水（水）を多方向に噴射できるから単一の場合より融雪効率は増加する。
【００２６】
【発明の効果】
本発明は前記の通りの構成であるから、放水ノズルの所謂仰角、方位角を自在に設定し、かつ、設定状態を確実に保持して温水等を積雪に放射できる線路上の雪の融雪に好適な装置を提供できる。
【図面の簡単な説明】
【図１】正面図。
【図２】平面図。要部の拡大断面図
【図３】要部の拡大断面図。
【符号の説明】
１　　　基台
２　　　装置本体
３　　　放水ノズル
２３　　自在継手装置
２５　　角度調節装置
【図１】
2004036305.tif 000003
【図２】
2004036305.tif 000004
【図３】
2004036305.tif 000005